(57)【要約】ロック解除のための操作を行っているところを他人に見られたとしても、ロック解除のための操作内容は容易に認識されないようにする技術を提供することを課題とする。当該課題を解決するために、所定のオブジェクトを用いて所定の領域を指示する操作によりユーザからの入力を受付ける入力受付部（１１）と、所定の機能にロックをかけるとともに、入力受付部（１１）が第１の操作による入力と、第２の操作による入力とを並行して受付けると、ロックを解除するロック部（１２）と、を有する電子機器（１０）を提供する。
2014080659.tif 000002
【特許請求の範囲】
【請求項１】
所定のオブジェクトを用いて所定の領域を指示する操作により入力を受付ける入力受付手段と、
所定の機能にロックをかけるとともに、前記入力受付手段が第１の前記操作による入力と、第２の前記操作による入力とを並行して受付けると、前記ロックを解除するロック手段と、
を有する電子機器。
【請求項２】
同時に視認できない位置に設けられた第１の入力デバイス及び第２の入力デバイスを介して入力を受付ける入力受付手段と、
所定の機能にロックをかけるとともに、前記入力受付手段が前記第１の入力デバイスを介した第１の操作による入力と、前記第２の入力デバイスを介した第２の操作による入力とを並行して受付けると、前記ロックを解除するロック手段と、
を有する電子機器。
【請求項３】
請求項１に記載の電子機器において、
前記第１の操作で指示すべき前記所定の領域とその他の領域との境界は視認可能になっていない電子機器。
【請求項４】
請求項１又は３に記載の電子機器において、
前記第１の操作は、前記所定の領域を指示した後、指示位置を動かさずに維持する操作であり、
前記第２の操作は、前記第１の操作において前記指示位置が維持されている状態で行われる所定の前記操作である電子機器。
【請求項５】
請求項４に記載の電子機器において、
前記ロック手段は、
前記入力受付手段が、第１の前記所定の領域の指示を維持する前記第１の操作による入力を受付けた場合、前記第２の操作により第１の情報が入力されると前記ロックを解除し、
前記入力受付手段が、前記第１の所定の領域と異なる第２の前記所定の領域の指示を維持する前記第１の操作による入力を受付けた場合、前記第２の操作により前記第１の情報と異なる第２の情報が入力されると前記ロックを解除する電子機器。
【請求項６】
請求項４に記載の電子機器において、
前記ロック手段は、
前記入力受付手段が、第１の前記オブジェクトを用いて前記所定の領域の指示を維持する前記第１の操作による入力を受付けた場合、前記第２の操作により第１の情報が入力されると前記ロックを解除し、
前記入力受付手段が、前記第１のオブジェクトと異なる第２の前記オブジェクトを用いて前記所定の領域の指示を維持する前記第１の操作による入力を受付けた場合、前記第２の操作により前記第１の情報と異なる第２の情報が入力されると前記ロックを解除する電子機器。
【請求項７】
請求項１、３乃至６のいずれか１項に記載の電子機器において、
前記操作は、タッチ領域内の所定の領域にタッチして行われる操作である電子機器。
【請求項８】
請求項２に記載の電子機器において、
筺体を有し、
前記第１の入力デバイスは前記筺体の第１の面に設けられており、前記第２の入力デバイスは前記筺体の第２の面に設けられており、前記第１の面と前記第２の面は表裏の関係にある電子機器。
【請求項９】
請求項１から８のいずれか１項に記載の電子機器において、
前記第１の操作は静的な操作であり、前記第２の操作は動的な操作である電子機器。
【請求項１０】
請求項１から９のいずれか１項に記載の電子機器において、
前記ロック手段は、前記第１の操作による入力と、前記第２の操作による入力とを時系列的に並行して受付けると、前記ロックを解除する電子機器。
【請求項１１】
コンピュータを、
所定のオブジェクトを用いて所定の領域を指示する操作により入力を受付ける入力受付手段、
所定の機能にロックをかけるとともに、前記入力受付手段が第１の前記操作による入力と、第２の前記操作による入力とを並行して受付けると、前記ロックを解除するロック手段、
として機能させるためのプログラム。
【請求項１２】
コンピュータを、
同時に視認できない位置に設けられた第１の入力デバイス及び第２の入力デバイスを介して入力を受付ける入力受付手段、
所定の機能にロックをかけるとともに、前記入力受付手段が前記第１の入力デバイスを介した第１の操作による入力と、前記第２の入力デバイスを介した第２の操作による入力とを並行して受付けると、前記ロックを解除するロック手段、
として機能させるためのプログラム。
【請求項１３】
コンピュータが、
所定のオブジェクトを用いて所定の領域を指示する操作により入力を受付ける入力受付ステップと、
所定の機能にロックをかけるとともに、前記入力受付ステップで第１の前記操作による入力と、第２の前記操作による入力とを並行して受付けると、前記ロックを解除するロック解除ステップと、
を実行するロック解除方法。
【請求項１４】
コンピュータが、
同時に視認できない位置に設けられた第１の入力デバイス及び第２の入力デバイスを介して入力を受付ける入力受付ステップと、
所定の機能にロックをかけるとともに、前記入力受付ステップで前記第１の入力デバイスを介した第１の操作による入力と、前記第２の入力デバイスを介した第２の操作による入力とを並行して受付けると、前記ロックを解除するロック解除ステップと、
を実行するロック解除方法。
【発明の詳細な説明】
【技術分野】
【０００１】
本発明は、電子機器、ロック解除方法及びプログラムに関する。
【背景技術】
【０００２】
特許文献１及び２に、携帯端末装置に設定したロックを解除する手段が開示されている。【０００３】
特許文献１には、図１２（特許文献１の図２を引用）に記載の携帯端末装置において、複合操作キー９が押下された状態でタッチ入力キー「ロック解除」に対してタッチペン８によるタッチ操作が行われると、ロックが解除されるロック解除手段が開示されている。【０００４】
特許文献２には、タッチパネルディスプレイに表示されたオブジェクトを指でタッチし、その後、そのまま指を所定の方向にスライドさせると、ロックが解除されるロック解除手段が開示されている。【０００５】
その他、予め定められたパスワードの入力を受付けると、ロックを解除するロック解除手段も広く知られている。
【先行技術文献】
【特許文献】
【０００６】
【特許文献１】特開２００３−５８３０２号公報
【特許文献２】特開２０１２−９５０６９号公報
【発明の概要】
【発明が解決しようとする課題】
【０００７】
上述のような従来のロック解除手段の場合、ロック解除のための操作を他人に見られ、操作内容を認識されてしまうと、以降、当該他人もロックを解除することが可能となる。すなわち、当該他人により勝手にロックを解除され、電子機器を勝手に使用されてしまう恐れがある。【０００８】
特許文献１に記載の技術の場合、「複合操作キー９を押下した状態でタッチ入力キー「ロック解除」に対してタッチペン８によるタッチ操作を行う」という２つの操作によりロックが解除されるが、図１２に示すように、複合操作キー９及びタッチパネル入力装置７は同時に視認可能に配置されているので、ロック解除のための操作を行っているところを他人に見られた場合、上記２つの操作からなるロック解除のための操作内容が他人に認識されてしまう恐れがある。【０００９】
本発明は、ロック解除のための操作を行っているところを他人に見られたとしても、ロック解除のための操作内容は容易に認識されないようにする技術を提供することを課題とする。
【課題を解決するための手段】
【００１０】
本発明によれば、
所定のオブジェクトを用いて所定の領域を指示する操作により入力を受付ける入力受付手段と、
所定の機能にロックをかけるとともに、前記入力受付手段が第１の前記操作による入力と、第２の前記操作による入力とを並行して受付けると、前記ロックを解除するロック手段と、
を有する電子機器が提供される。【００１１】
また、本発明によれば、
同時に視認できない位置に設けられた第１の入力デバイス及び第２の入力デバイスを介して入力を受付ける入力受付手段と、
所定の機能にロックをかけるとともに、前記入力受付手段が前記第１の入力デバイスを介した第１の操作による入力と、前記第２の入力デバイスを介した第２の操作による入力とを並行して受付けると、前記ロックを解除するロック手段と、
を有する電子機器が提供される。【００１２】
また、本発明によれば、
コンピュータを、
所定のオブジェクトを用いて所定の領域を指示する操作により入力を受付ける入力受付手段、
所定の機能にロックをかけるとともに、前記入力受付手段が第１の前記操作による入力と、第２の前記操作による入力とを並行して受付けると、前記ロックを解除するロック手段、
として機能させるためのプログラムが提供される。【００１３】
また、本発明によれば、
コンピュータを、
同時に視認できない位置に設けられた第１の入力デバイス及び第２の入力デバイスを介して入力を受付ける入力受付手段、
所定の機能にロックをかけるとともに、前記入力受付手段が前記第１の入力デバイスを介した第１の操作による入力と、前記第２の入力デバイスを介した第２の操作による入力とを並行して受付けると、前記ロックを解除するロック手段、
として機能させるためのプログラムが提供される。【００１４】
また、本発明によれば、
コンピュータが、
所定のオブジェクトを用いて所定の領域を指示する操作により入力を受付ける入力受付ステップと、
所定の機能にロックをかけるとともに、前記入力受付ステップで第１の前記操作による入力と、第２の前記操作による入力とを並行して受付けると、前記ロックを解除するロック解除ステップと、
を実行するロック解除方法が提供される。【００１５】
また、本発明によれば、
コンピュータが、
同時に視認できない位置に設けられた第１の入力デバイス及び第２の入力デバイスを介して入力を受付ける入力受付ステップと、
所定の機能にロックをかけるとともに、前記入力受付ステップで前記第１の入力デバイスを介した第１の操作による入力と、前記第２の入力デバイスを介した第２の操作による入力とを並行して受付けると、前記ロックを解除するロック解除ステップと、
を実行するロック解除方法が提供される。
【発明の効果】
【００１６】
本発明によれば、ロック解除のための操作を行っているところを他人に見られたとしても、ロック解除のための操作内容は容易に認識されないようにすることが可能となる。
【図面の簡単な説明】
【００１７】
上述した目的、および、その他の目的、特徴および利点は、以下に述べる好適な実施の形態、および、それに付随する以下の図面によって、さらに明らかになる。
【図１】本実施形態の電子機器の機能ブロック図の一例を示す図である。
【図２】本実施形態におけるロック解除のための操作を説明するための図である。
【図３】本実施形態におけるロック解除のための操作を説明するための図である。
【図４】本実施形態におけるロック解除のための操作を説明するための図である。
【図５】本実施形態におけるロック解除のための操作を説明するための図である。
【図６】本実施形態におけるロック解除のための操作を説明するための図である。
【図７】本実施形態におけるロック解除のための操作を説明するための図である。
【図８】本実施形態におけるロック解除のための操作を説明するための図である。
【図９】本実施形態におけるロック解除のための操作を説明するための図である。
【図１０】本実施形態の電子機器の平面模式図の一例である。
【図１１】本実施形態の電子機器の平面模式図の一例である。
【図１２】従来例を示す図である。
【発明を実施するための形態】
【００１８】
以下、本発明の実施の形態について図面を用いて説明する。
【００１９】
なお、本実施形態のシステム、装置は、任意のコンピュータのＣＰＵ、メモリ、メモリにロードされたプログラム（あらかじめ装置を出荷する段階からメモリ内に格納されているプログラムのほか、ＣＤ等の記憶媒体やインターネット上のサーバ等からダウンロードされたプログラムも含む）、そのプログラムを格納するハードディスク等の記憶ユニット、ネットワーク接続用インタフェイスを中心にハードウェアとソフトウェアの任意の組合せによって実現される。そして、その実現方法、装置にはいろいろな変形例があることは、当業者には理解されるところである。
【００２０】
また、本実施形態の説明において利用する機能ブロック図は、ハードウェア単位の構成ではなく、機能単位のブロックを示している。これらの図においては、各システム、装置は１つの機器により実現されるよう記載されているが、その実現手段はこれに限定されない。すなわち、物理的に分かれた構成であっても、論理的に分かれた構成であっても構わない。
【００２１】
＜第１の実施形態＞
図１に本実施形態の電子機器の機能ブロック図の一例を示す。図示するように、本実施形態の電子機器１０は、入力受付部１１と、ロック部１２とを有する。
【００２２】
入力受付部１１は、所定のオブジェクトを用いて所定の領域を指示する操作（以下、「領域指示操作」）によりユーザからの入力（ユーザ入力）を受付ける。例えば、入力受付部１１は、所定のオブジェクトを用いて、その他の領域と識別可能になっていない所定の領域、又は、一時的に存在する画像や光によりその他の領域と識別可能になっている所定の領域を指示する領域指示操作により、ユーザ入力を受付ける。
【００２３】
具体的には、入力受付部１１は、タッチパネルディスプレイやタッチパッドなどにより提供されるタッチ領域に対し、所定のオブジェクト（例：指、タッチペン等）で行うタッチ操作（タップ、タッチアンドホールド、タッチアンドスライド、フリック等）によるユーザ入力を受付けてもよい。タッチ操作の場合、入力受付部１１は、タッチ領域内における所定のオブジェクトでタッチされた位置を特定することで、ユーザがタッチ領域内のいずれの領域を指示しているか特定することができる。
【００２４】
または、タッチ操作に加えて又は代えて、入力受付部１１は、電子機器１０と所定のオブジェクトとが非接触な状態で行われる非接触操作によるユーザ入力を受付けてもよい。非接触操作の詳細は特段制限されず、従来のあらゆる技術を利用することができる。例えば、入力受付部１１は、カメラや温度センサ等を用いて空間内に位置する所定のオブジェクトの位置を特定することで、ユーザがいずれの領域を指示しているか特定してもよい。または、入力受付部１１は、自己が放出した超音波が所定のオブジェクトで反射した反射波を複数の受信部（マイク等）で受信し、複数の受信部における反射波の受信タイミングのズレを利用して、複数の受信部と所定のオブジェクトとの相対的な位置関係（例：所定のオブジェクトは第１の受信部よりも第２の受信部の近くに存在する）を特定してもよい。そして、入力受付部１１は、特定した複数の受信部と所定のオブジェクトとの相対的な位置関係を利用して、ユーザがいずれの領域を指示しているか特定してもよい。このような操作の場合、入力受付部１１は、所定のオブジェクトの位置や移動軌跡等により、所定の入力を受付けることができる。
【００２５】
入力受付部１１は、受付けたユーザ入力の内容を示す情報をロック部１２に入力する。
【００２６】
ロック部１２は、所定の機能にロックをかけるとともに、入力受付部１１が第１の操作（第１の領域指示操作）による入力と、第２の操作（第２の領域指示操作）による入力とを並行して受付けると、ロックを解除する。すなわち、ロック手段は、第１の操作による入力と、第２の操作による入力とを時系列的に並行して受付けると、ロックを解除する。
【００２７】
ロックをかけるとは、所定の機能を実行できないようにすることである。ロックは、いわゆる誤操作防止のためのロックであってもよいし、セキュリティ確保のためのロックであってもよい。ロックをかける対象となる機能は特段制限されない。例えば、複数のアイコンが表示された待ち受け画面からのユーザ入力を受付ける機能であってもよいし、所定のアプリ（例：メールアプリ）により提供される機能（サービス）であってもよい。これらはあくまで例示であり、これらに限定されない。
【００２８】
なお、第１の操作で指示すべき所定の領域とその他の領域との境界は視認可能になっていなくてもよい。
【００２９】
例えば、第１の操作がタッチパネルディスプレイに対するタッチ操作である場合、タッチパネルディスプレイに表示された画像の中に、第１の操作としてタッチ（指示）すべき領域を明示する画像（アイコン等）が表示されていなくてもよい。このように構成しても、操作者が第１の操作で指示すべき所定の領域を予め認識しておけば、操作者は第１の操作を行うことができる。例えば、第１の操作で指示すべき所定の領域を、タッチパネルディスプレイ内における全領域、上半分の領域、下半分の領域、右半分の領域、左半分の領域等のように比較的大きく、かつ、タッチパネルティスプレイに基づいて比較的把握し易い領域とすることで、操作者による第１の操作を簡易なものとすることができる。
【００３０】
その他の例として、第１の操作がタッチパッドに対するタッチ操作である場合、タッチパッドに、第１の操作としてタッチ（指示）すべき領域を明示する情報が表示されていなくてもよい。一般的なタッチパッドは、タッチ領域に情報を表示可能に構成されていないので、当該条件を満たすこととなる。また、第１の操作が上記非接触操作である場合、空間上に、第１の操作として指示すべき領域を明示する情報（光等）が表示されていなくてもよい。このように構成しても、上述の通り、操作者は第１の操作を行うことができる。また、第１の操作で指示すべき領域を、物理的に存在する装置（タッチパッド、センサ等）に基づいて比較的把握し易い領域とすることで、操作者による第１の操作を簡易なものとすることができる。
【００３１】
以下、本実施形態の作用効果について説明する。
【００３２】
所定の領域を指示する操作は、物理的に定在する操作対象体（ボタン等）に対する操作（押下等）に比べて、操作内容が第三者に把握されにくい。
【００３３】
物理的に定存する操作対象体に対する操作の場合、操作者による操作の対象（操作対象体）は一目瞭然であるので、操作者が当該操作を行っているところを見た第三者は、操作者がどの操作対象体を操作しているのか容易に把握することができる。また、操作者による操作が終了した後であっても、操作された操作対象体は視認可能に存在するので、第三者は、その操作対象体を再度視認することで操作内容を思い出したり、その操作対象体を視認しながら操作の内容を繰り返し復唱することで、記憶を定着させたりすることができる。
【００３４】
これに対し、所定の領域を指示する操作において指示される所定の領域は、その他の領域と識別可能になっていないか、又は、一時的に存在する画像や光により識別可能になっている。
【００３５】
指示される所定の領域がその他の領域と識別可能になっていない場合、第三者は、操作者が当該操作を行っているところを見ても、操作者がどの領域を指示しているのか容易に把握することはできない。また、第三者は、操作者が所定の領域を指示するという領域指示操作を行っていること自体に気付かない可能性もある。このため、第三者は、操作内容を容易に把握できない。
【００３６】
また、指示される所定の領域が一時的に存在する画像や光により識別可能になっている場合であっても、物理的に定在する上記操作対象体に比べ、その領域が操作者による操作対象であることは、第三者に把握されにくい。すなわち、第三者は、その画像や光が操作対象であるのか、又は、単なるイルミネーション等であるのか容易に判断できない。また、操作者による操作が終了した後には、所定の領域は他の領域と識別できないようになるので、第三者は、その所定の領域を再度視認することで操作内容を思い出したり、その所定の領域を視認しながら操作の内容を繰り返し復唱することで、記憶を定着させたりすることができない。
【００３７】
このような領域指示操作からなる第１の操作による入力及び第２の操作による入力を並行して受付けた場合にロックを解除する本実施形態によれば、その操作内容はより第三者に把握されにくくなる。
【００３８】
なお、上述の通り、第１の操作で指示すべき所定の領域とその他の領域との境界は視認可能になっていなくてもよい。
【００３９】
このように構成した場合、第三者は、操作者がロック解除のための操作を行っているところを見ても、操作者が第１の操作としてどの領域を指示しているのか容易に把握することはできない。また、第三者は、そもそも操作者が第１の操作を行っていること自体に気付かない可能性もある。また、第１の操作と第２の操作は並行して行われているので、第三者は第２の操作に着目し易くなり、より、第１の操作の存在に気付きにくくなるほか、第１の操作で指示している領域の識別が困難になる。
【００４０】
以上説明した本実施形態によれば、ロック解除のための操作を行っているところを他人に見られたとしても、ロック解除のための操作内容は容易に認識されないようにすることができる。
【００４１】
＜第２の実施形態＞
本実施形態の電子機器の機能ブロック図の一例は、第１の実施形態と同様、図１で示される。図示するように、本実施形態の電子機器１０は、入力受付部１１と、ロック部１２とを有する。
【００４２】
入力受付部１１は、同時に視認できない位置に設けられた第１の入力デバイス及び第２の入力デバイスを介してユーザからの入力を受付ける。第１の入力デバイス及び第２の入力デバイスは、電子機器１０に設けられる。
【００４３】
第１の入力デバイス及び第２の入力デバイスの種類は特段制限されず、従来のあらゆる入力デバイスを利用することができる。例えば、タッチパネルディスプレイであってもよいし、タッチパッドであってもよいし、タッチセンサであってもよいし、温度センサであってもよいし、ボタンであってもよい。なお、第１の入力デバイス及び第２の入力デバイスの種類は同じであってもよいし、異なっていてもよい。
【００４４】
ロック部１２は、所定の機能にロックをかけるとともに、入力受付部１１が第１の入力デバイスを介した第１の操作による入力と、第２の入力デバイスを介した第２の操作による入力とを並行して受付けると、ロックを解除する。ロック及びロックをかける所定の機能については、第１の実施形態で説明した通りであるので、ここでの説明は省略する。
【００４５】
以下、本実施形態の作用効果について説明する。
【００４６】
本実施形態の電子機器は、第１の入力デバイスと第２の入力デバイスとが同時に視認できない位置に設けられている。このため、ロック解除のための操作、すなわち、第１の入力デバイスを介した第１の操作による入力と、第２の入力デバイスを介した第２の操作による入力とを並行して行う操作を第三者に見られたとしても、第１の操作及び第２の操作両方の操作内容を把握されることはない。また、このような２つの操作が並行して行われていること自体が気付かれにくい。
【００４７】
このため、本実施形態によれば、ロック解除のための操作を行っているところを他人に見られたとしても、第１の操作及び第２の操作を含むロック解除のための操作内容は容易に認識されないようにすることができる。
【００４８】
＜第３の実施形態＞
本実施形態は、第１又は第２の実施形態を基本とし、第１の操作及び第２の操作が以下で説明する操作に限定される点で異なる。その他の構成は第１又は第２の実施形態と同様であるので、ここでの説明は省略する。
【００４９】
本実施形態においては、第１の操作は静的な操作であり、第２の操作は動的な操作である。静的な操作は、動的な操作に比べて、操作対象を操作するオブジェクト（例：指、指示棒等）の動作が小さい。動作が小さいとは、例えば、移動量が小さい、及び／又は、移動速度が遅いことを意味する。例えば、静的な操作は、タッチ領域に対するタッチアンドホールド操作であってもよいし、所定のボタンを押下し続ける操作であってもよいし、タッチセンサをタッチし続ける操作であってもよいし、所定の領域を指示し続ける操作であってもよい。このような操作はいずれも、所定のオブジェクト（例：指、指示棒等）で操作対象を操作（例：タッチ、押下等）後、所定時間、当該オブジェクトを動かさずにその状態を維持させることとなる。
【００５０】
このような本実施形態の場合、操作者がロック解除のための操作を行っているところを見た第三者は、第２の操作（動的な操作）に着目し易くなる。すなわち、第三者は、第１の操作を見落とし易くなる。なお、第１の実施形態で説明した「第１の操作で指示すべき所定の領域とその他の領域との境界が視認可能になっていない」構成を採用すれば、当該効果はより大きくなる。
【００５１】
このような本実施形態の場合、第三者に第２の操作の内容を把握されてしまう場合があるが、第１の操作の存在を第三者が見落とし易くなる結果、第１の操作の内容が把握されることを抑制することができる。
【００５２】
以上説明した本実施形態によれば、ロック解除のための操作を行っているところを他人に見られたとしても、第１の操作及び第２の操作を含むロック解除のための操作内容は容易に認識されないようにすることができる。
【００５３】
＜第４の実施形態＞
本実施形態は、第３の実施形態を基本とし、第１の操作及び第２の操作をさらに限定した点で異なる。その他の構成は第３の実施形態と同じであるので、ここでの説明は省略する。
【００５４】
本実施形態の入力受付部１１は、第１の実施形態で説明した領域指示操作により、第１の操作（静的な操作）による入力及び第２の操作（動的な操作）による入力を受付ける。
【００５５】
第１の操作は、所定の領域を指示した後、指示位置を動かさずに所定のオブジェクトを維持する操作である。例えば、第１の操作がタッチ領域に対するタッチ操作である場合、いわゆる、タッチアンドホールド操作がこれに該当する。
【００５６】
第２の操作は、第１の操作において指示位置が維持されている状態で行われる所定の動的な操作である。
【００５７】
以下、図２乃至６を用いて第１の操作及び第２の操作の具体例を説明する。なお、ここでは、第１の操作及び第２の操作がタッチ領域に対するタッチ操作である場合を例にとる。
【００５８】
図２（Ａ）は、タッチパネルディスプレイ１１Ａを有する電子機器１０の斜視図を模式的に示している。電子機器１０は、片手で保持可能な携帯端末である。タッチパネルディスプレイ１１Ａには、ロック状態であることを示すロック画面が表示されている。図示するロック画面には、第２の操作の対象となる画像（スライド操作を誘導する画像）が表示されているが、第１の操作の対象となる画像は表示されていない。
【００５９】
当該ロックを解除する場合、操作者は、まず、第１の操作として、図２（Ｂ）に示すように、タッチパネルディスプレイ１１Ａ上の所定の領域をタッチし、そのままホールドする（図示するＯＰI）。所定の領域は、タッチパネルディスプレイ１１Ａ上の第２の操作の対象となる画像が表示されていない領域全部であってもよいし、タッチパネルディスプレイ１１Ａの左半分又は右半分の領域であってもよいし、又は、タッチパネルディスプレイ１１Ａの上半分又は下半分の領域であってもよい。
【００６０】
例えば、操作者は、片手（左手又は右手）で電子機器１０を保持しながら、電子機器１０を保持している手の指により、第１の操作ＯＰIを行うことができる。図２（Ｂ）には、操作者が左手で電子機器１０を保持しながら、左手の親指により、第１の操作ＯＰIを行っている様子が示されている。
【００６１】
その後、操作者は、図２（Ｃ）に示すように、第１の操作ＯＰIを行っている状態を維持したまま、第２の操作ＯＰIIを行う。すなわち、第２の操作として、ロック画面に表示されている第２の操作の対象となる画像（スライド操作を誘導する画像）に対しスライド操作を行う。
【００６２】
例えば、操作者は、片手（左手又は右手）で電子機器１０を保持し、その手の指で第１の操作ＯＰIを行いながら、所定のオブジェクト（例：他方の手の指）で第２の操作ＯＰII（スライド操作）を行うことができる。図２（Ｃ）には、操作者が左手で電子機器１０を保持し、左手の親指で第１の操作ＯＰIを行いながら、所定のオブジェクト（例：右手の指）で第２の操作ＯＰII（スライド操作）を行っている様子が示されている。
【００６３】
すると、図２（Ｄ）に示すように、ロックが解除される。
【００６４】
当該例では、第１及び第３の実施形態で説明した作用効果が実現されている。さらに、電子機器１０を保持している手により第１の操作ＯＰIを行うことができるので、より、第１の操作ＯＰIの存在を第三者に気付かれにくくすることができる。
【００６５】
図３（Ａ）は、タッチパネルディスプレイ１１Ｂを有する電子機器１０の斜視図を模式的に示している。電子機器１０は、片手で保持しながらその手でタッチ操作を安定して行うには大きい端末であり、例えばいわゆるスマートパッド等が該当する。タッチパネルディスプレイ１１Ｂには、ロック状態であることを示すロック画面が表示されている。図示するロック画面には、第２の操作の対象となる画像（スライド操作を誘導する画像）が表示されているが、第１の操作の対象となる画像は表示されていない。
【００６６】
当該ロックを解除する場合、操作者は、まず、第１の操作として、図３（Ｂ）に示すように、タッチパネルディスプレイ１１Ｂ上の所定の領域をタッチし、そのままホールドする（図示するＯＰI）。所定の領域は、タッチパネルディスプレイ１１Ｂ上の第２の操作の対象となる画像が表示されていない領域全部であってもよいし、タッチパネルディスプレイ１１Ｂの左半分又は右半分の領域であってもよいし、又は、タッチパネルディスプレイ１１Ｂの上半分又は下半分の領域であってもよい。
【００６７】
例えば、操作者は、両手で電子機器１０の図中左端及び右端各々を保持しながら、一方の手の指により、第１の操作ＯＰIを行うことができる。図３（Ｂ）には、操作者が左手の親指により、第１の操作ＯＰIを行っている様子が示されている。
【００６８】
その後、操作者は、図３（Ｃ）に示すように、第１の操作ＯＰIを行っている状態を維持したまま、第２の操作ＯＰIIを行う。すなわち、第２の操作として、ロック画面に表示されている第２の操作の対象となる画像（スライド操作を誘導する画像）に対しスライド操作を行う。
【００６９】
例えば、操作者は、両手で電子機器１０の図中左端及び右端各々を保持し、一方の手の指で第１の操作ＯＰIを行いながら、他方の手の指で第２の操作ＯＰII（スライド操作）を行うことができる。図３（Ｃ）には、操作者が左手の親指により第１の操作ＯＰIを行いながら、右手の親指により第２の操作ＯＰII（スライド操作）を行っている様子が示されている。
【００７０】
すると、図３（Ｄ）に示すように、ロックが解除される。
【００７１】
当該例では、第１及び第３の実施形態で説明した作用効果が実現されている。さらに、電子機器１０を保持している手により第１の操作ＯＰIを行うことができるので、より、第１の操作ＯＰIの存在を第三者に気付かれにくくすることができる。
【００７２】
なお、図３に示す例の場合、電子機器１０を机や膝の上等に置いた状態で、ロック解除操作を行うこともできる。かかる場合、一方の手で電子機器が動かないように保持（例：押さえる）しながら、その手で第１の操作を行うことができる。そして、所定のオブジェクト（例：他方の手の指）により第２の操作を行うことができる。
【００７３】
図４（Ａ）は、タッチパネルディスプレイ１１Ａを有する電子機器１０の斜視図を模式的に示している。電子機器１０は、片手で保持可能な携帯端末である。タッチパネルディスプレイ１１Ａには、ロック状態であることを示すロック画面が表示されている。図示するロック画面には、第２の操作の対象となる画像（所定のルールに従い配列された複数のオブジェクト（図では丸で表示）の画像）が表示されているが、第１の操作の対象となる画像は表示されていない。
【００７４】
当該ロックを解除する場合、操作者は、まず、第１の操作として、図４（Ｂ）に示すように、タッチパネルディスプレイ１１Ａ上の所定の領域をタッチし、そのままホールドする（図示するＯＰI）。第１の操作は、図２を用いて説明した例と同様であるので、ここでの説明は省略する。図４（Ｂ）には、操作者が左手で電子機器１０を保持しながら、左手の親指により、第１の操作ＯＰIを行っている様子が示されている。
【００７５】
その後、操作者は、図４（Ｃ）に示すように、第１の操作ＯＰIを行っている状態を維持したまま、第２の操作ＯＰIIを行う。すなわち、第２の操作として、ロック画面に表示されている第２の操作の対象となる画像（複数のオブジェクト）を所定の順でタッチするようにスライド操作を行う。
【００７６】
操作者は、図２を用いて説明した例と同じようにして第２の操作を行うことができる。図４（Ｃ）には、操作者が左手で電子機器１０を保持し、左手の親指で第１の操作ＯＰIを行いながら、所定のオブジェクト（例：右手の指）で第２の操作ＯＰII（スライド操作）を行っている様子が示されている。
【００７７】
すると、図４（Ｄ）に示すように、ロックが解除される。なお、図４（Ｃ）におけるスライド操作で複数のオブジェクトをタッチする順番が所定の順番と異なる場合、ロックは解除されない。
【００７８】
当該例では、第１及び第３の実施形態で説明した作用効果が実現されている。さらに、電子機器１０を保持している手により第１の操作ＯＰIを行うことができるので、より、第１の操作ＯＰIの存在を第三者に気付かれにくくすることができる。
【００７９】
なお、図３を用いて説明した片手で保持しながらその手でタッチ操作を安定して行うには大きい電子機器１０において、当該例を適用することもできる。
【００８０】
図５（Ａ）は、タッチパネルディスプレイ１１Ａを有する電子機器１０の斜視図を模式的に示している。電子機器１０は、片手で保持可能な携帯端末である。タッチパネルディスプレイ１１Ａには、ロック状態であることを示すロック画面が表示されている。図示するロック画面には、第２の操作の対象となる画像（所定の情報（図では数字及び記号）が付された複数のオブジェクトの画像）が表示されているが、第１の操作の対象となる画像は表示されていない。
【００８１】
当該ロックを解除する場合、操作者は、まず、第１の操作として、図５（Ｂ）に示すように、タッチパネルディスプレイ１１Ａ上の所定の領域をタッチし、そのままホールドする（図示するＯＰI）。第１の操作は、図２を用いて説明した例と同様であるので、ここでの説明は省略する。図５（Ｂ）には、操作者が左手で電子機器１０を保持しながら、左手の親指により、第１の操作ＯＰIを行っている様子が示されている。
【００８２】
その後、操作者は、図５（Ｃ）に示すように、第１の操作ＯＰIを行っている状態を維持したまま、第２の操作ＯＰIIを行う。すなわち、第２の操作として、ロック画面に表示されている第２の操作の対象となる画像（所定の情報（図では数字及び記号）が付された複数のオブジェクト）を所定の順でタッチする操作を行う。これは、パスワードの入力操作等に該当する。
【００８３】
操作者は、図２を用いて説明した例と同じようにして第２の操作を行うことができる。図５（Ｃ）には、操作者が左手で電子機器１０を保持し、左手の親指で第１の操作ＯＰIを行いながら、所定のオブジェクト（例：右手の指）で第２の操作ＯＰII（パスワード入力操作）を行っている様子が示されている。
【００８４】
すると、図５（Ｄ）に示すように、ロックが解除される。なお、図５（Ｃ）で入力されたパスワードが所定のパスワードと異なる場合、ロックは解除されない。
【００８５】
当該例では、第１及び第３の実施形態で説明した作用効果が実現されている。さらに、電子機器１０を保持している手により第１の操作ＯＰIを行うことができるので、より、第１の操作ＯＰIの存在を第三者に気付かれにくくすることができる。
【００８６】
なお、図３を用いて説明した片手で保持しながらその手でタッチ操作を安定して行うには大きい電子機器１０において、当該例を適用することもできる。
【００８７】
図６（Ａ）は、タッチパネルディスプレイ１１Ａを有する電子機器１０の斜視図を模式的に示している。電子機器１０は、片手で保持可能な携帯端末である。タッチパネルディスプレイ１１Ａには、ロック状態であることを示すロック画面が表示されている。図示するロック画面には、第１の操作の対象となる画像及び第２の操作の対象となる画像のいずれも表示されていない。
【００８８】
当該ロックを解除する場合、操作者は、まず、第１の操作として、図６（Ｂ）に示すように、タッチパネルディスプレイ１１Ａ上の所定の領域をタッチし、そのままホールドする（図示するＯＰI）。第１の操作は、図２を用いて説明した例と同様であるので、ここでの説明は省略する。図６（Ｂ）には、操作者が左手で電子機器１０を保持しながら、左手の親指により、第１の操作ＯＰIを行っている様子が示されている。
【００８９】
その後、操作者は、図６（Ｃ）に示すように、第１の操作ＯＰIを行っている状態を維持したまま、第２の操作ＯＰIIを行う。
【００９０】
操作者は、図２を用いて説明した例と同じようにして第２の操作を行うことができる。図６（Ｃ）には、操作者が左手で電子機器１０を保持し、左手の親指で第１の操作ＯＰIを行いながら、所定のオブジェクト（例：右手の指）で第２の操作ＯＰII（所定のリズムで所定回数のタッチ入力操作）を行っている様子が示されている。
【００９１】
すると、図６（Ｄ）に示すように、ロックが解除される。なお、図６（Ｃ）で入力されるタッチのリズム及び回数の少なくとも一方が、所定のリズム及び回数と異なる場合、ロックは解除されない。
【００９２】
当該例では、第１及び第３の実施形態で説明した作用効果が実現されている。さらに、電子機器１０を保持している手により第１の操作ＯＰIを行うことができるので、より、第１の操作ＯＰIの存在を第三者に気付かれにくくすることができる。
【００９３】
なお、図３を用いて説明した片手で保持しながらその手でタッチ操作を安定して行うには大きい電子機器１０において、当該例を適用することもできる。
【００９４】
以上、第１の操作及び第２の操作の具体例を説明したが、第２の操作はここで例示するものに限定されず、その他の操作であっても同様の作用効果を実現することができる。
【００９５】
また、ここでは第１の操作及び第２の操作がタッチ領域に対するタッチ操作である場合を例に説明したが、その他の領域指示操作であっても同様の作用効果を実現することができる。例えば、第１の操作は非接触操作であり、第２の操作はタッチ操作であってもよいし、その逆であってもよい。
【００９６】
以上説明した本実施形態によれば、ロック解除のための操作を行っているところを他人に見られたとしても、第１の操作及び第２の操作を含むロック解除のための操作内容は容易に認識されないようにすることができる。
【００９７】
＜第５の実施形態＞
本実施形態は、第４の実施形態を基本とし、ロック部１２の構成が異なる。その他の構成は第４の実施形態と同様であるので、ここでの説明は省略する。
【００９８】
ロック部１２は、入力受付部１１が、第１の所定の領域の指示を維持する第１の操作による入力を受付けた場合、第２の操作により第１の情報が入力されるとロックを解除する。なお、ロック部１２は、入力受付部１１が第１の所定の領域の指示を維持する第１の操作による入力を受付けた場合に、第２の操作により第１の情報と異なる情報が入力されるとロックを解除しない。
【００９９】
また、ロック部１２は、入力受付部１１が、第１の所定の領域と異なる第２の所定の領域の指示を維持する第１の操作による入力を受付けた場合、第２の操作により第１の情報と異なる第２の情報が入力されるとロックを解除する。なお、ロック部１２は、入力受付部１１が第２の所定の領域の指示を維持する第１の操作による入力を受付けた場合に、第２の操作により第２の情報と異なる情報が入力されるとロックを解除しない。
【０１００】
すなわち、本実施形態においては、ロックを解除するための第１の操作及び第２の操作の入力内容の組み合わせが複数存在する。ロック部１２は、第１の操作による入力内容及び第２の操作による入力内容の組み合わせを複数保持しておき、入力受付部１１がいずれかの組み合わせの入力を受付けると、ロックを解除する。
【０１０１】
いずれの組み合わせにおいても、第１の操作は、所定の領域の指示を維持する操作であるが、指示する所定の領域が互いに異なるため、入力内容は異なる。第２の操作の操作内容は特段限定されないが、第１の組み合わせに含まれる第２の操作により入力される情報と、第２の組み合わせに含まれる第２の操作により入力される情報とは互いに異なる。
【０１０２】
以下、図４乃至９を用いて第１の操作及び第２の操作の具体例を説明する。なお、ここでは、第１の操作及び第２の操作がタッチ領域に対するタッチ操作である場合を例にとる。
【０１０３】
図４に示す例の場合、第４の実施形態で説明した通り、タッチパネルディスプレイ１１Ａ上の所定の領域（第１の領域）のタッチを維持する操作（第１の操作ＯＰI）を行いながら、所定のオブジェクト（例：右手の指）でロック画面に表示されている第２の操作の対象となる画像（複数のオブジェクト）を所定の順でタッチするスライド操作（第２の操作ＯＰII）による入力を入力受付部１１が受付けると、ロック部１２はロックを解除する。この時、第２の操作ＯＰIIにおける第２の操作の対象となる画像（複数のオブジェクト）のタッチ順が図示するものと異なっていると、ロックは解除されない。
【０１０４】
次に、図７（Ａ）には、図４に示す例と同様の電子機器１０及びロック画面が表示されている。そして、図７（Ｂ）に示すように、当該例では、第１の操作ＯＰIとして、図４（Ｂ）に示す例とは異なる領域がタッチされている。図４（Ｂ）に示す例では、第２の操作の対象となる画像（複数のオブジェクト）における最上段と真ん中の段の間の高さ近辺（第１の領域）がタッチされているが、図７（Ｂ）に示す例では、第２の操作の対象となる画像（複数のオブジェクト）における真ん中の段と最下段の間の高さ近辺（第２の領域）がタッチされている。
【０１０５】
第１の操作ＯＰIにより第２の領域のタッチが維持されている図７（Ｂ）の例の場合、ロック部１２は、図７（Ｃ）に示すように、所定のオブジェクト（例：右手の指）でロック画面に表示されている第２の操作の対象となる画像（複数のオブジェクト）を、第１の領域のタッチが維持されている場合（図４（Ｃ））と異なる所定の順でタッチするスライド操作（第２の操作ＯＰII）による入力を入力受付部１１が受付けると、ロックを解除する。この時、第２の操作ＯＰIIにおける第２の操作の対象となる画像（複数のオブジェクト）のタッチ順が図示するもの異なっていると、ロックは解除されない。
【０１０６】
次に、図５に示す例の場合、第４の実施形態で説明した通り、タッチパネルディスプレイ１１Ａ上の所定の領域（第１の領域）のタッチを維持する操作（第１の操作ＯＰI）を行いながら、所定のオブジェクト（例：右手の指）でロック画面に表示されている画像（所定の情報（図では数字及び記号）が付された複数のオブジェクト）を利用して所定のパスワード（第１のパスワード）を入力する操作（第２の操作ＯＰII）を入力受付部１１が受付けると、ロック部１２はロックを解除する。この時、第２の操作ＯＰIIにおいて入力されたパスワードが第１のパスワードと異なっている場合、ロックは解除されない。
【０１０７】
次に、図８（Ａ）には、図５に示す例と同様の電子機器１０及びロック画面が表示されている。そして、図８（Ｂ）に示すように、当該例では、第１の操作ＯＰIとして、図５（Ｂ）に示す例とは異なる領域がタッチされている。図５（Ｂ）に示す例では、第２の操作の対象となる画像（複数のオブジェクト）における最上段と上から２番目の段の間の高さ近辺（第１の領域）がタッチされているが、図８（Ｂ）に示す例では、第２の操作の対象となる画像（複数のオブジェクト）における最下段と下から２番目の段の間の高さ近辺（第２の領域）がタッチされている。
【０１０８】
第１の操作ＯＰIにより第２の領域のタッチが維持されている図８（Ｂ）の例の場合、ロック部１２は、図８（Ｃ）に示すように、所定のオブジェクト（例：右手の指）で第１のパスワードとは異なる所定の第２のパスワードを入力する操作（第２の操作ＯＰII）を入力受付部１１が受付けると、ロックを解除する。この時、第２の操作ＯＰIIにおいて入力されたパスワードが第２のパスワードと異なっている場合、ロックは解除されない。
【０１０９】
次に、図６に示す例の場合、第４の実施形態で説明した通り、タッチパネルディスプレイ１１Ａ上の所定の領域（第１の領域）のタッチを維持する操作（第１の操作ＯＰI）を行いながら、所定のオブジェクト（例：右手の指）でタッチパネルディスプレイ１１Ａを所定のリズムで所定回数タッチする操作を入力受付部１１が受付けると、ロック部１２はロックを解除する。この時、第２の操作ＯＰIIにおいて入力された内容（リズム、回数）が所定の内容（第１の内容）と異なっている場合、ロックは解除されない。
【０１１０】
次に、図９（Ａ）には、図６に示す例と同様の電子機器１０及びロック画面が表示されている。そして、図９（Ｂ）に示すように、当該例では、第１の操作ＯＰIとして、図６（Ｂ）に示す例とは異なる領域がタッチされている。図６（Ｂ）に示す例では、タッチパネルディスプレイ１１Ａの高さ方向（図中縦方向）の真ん中近辺（第１の領域）がタッチされているが、図９（Ｂ）に示す例では、タッチパネルディスプレイ１１Ａの高さ方向（図中縦方向）の真ん中近辺よりも下方（第２の領域）がタッチされている。
【０１１１】
第１の操作ＯＰIにより第２の領域のタッチが維持されている図９（Ｂ）の例の場合、ロック部１２は、図９（Ｃ）に示すように、所定のオブジェクト（例：右手の指）で第１の内容とは異なる所定のリズムで所定回数タッチパネルディスプレイ１１Ａをタッチする操作（第２の操作ＯＰII）を入力受付部１１が受付けると、ロックを解除する。この時、第２の操作ＯＰIIにおいて入力された内容が所定の内容と異なっている場合、ロックは解除されない。
【０１１２】
以上、第１の操作及び第２の操作の具体例を説明したが、第２の操作はここで例示するものに限定されず、その他の操作であっても同様の作用効果を実現することができる。また、第１の操作ＯＰIにおけるタッチ位置は例示したものに限定されない。
【０１１３】
また、ここでは第１の操作及び第２の操作ＯＰIIがタッチ領域に対するタッチ操作である場合を例に説明したが、その他の領域指示操作であっても同様の作用効果を実現することができる。例えば、第１の操作は非接触操作であり、第２の操作はタッチ操作であってもよいし、その逆であってもよい。
【０１１４】
なお、図３を用いて説明した片手で保持しながらその手でタッチ操作を安定して行うには大きい電子機器１０において、当該実施形態を適用することもできる。
【０１１５】
本実施形態によれば、第１の操作における指示領域に応じた入力内容を第２の操作で受付けた場合、ロックが解除される。上記実施形態で説明した通り、第１の操作は第三者に気付かれにくい。このため、第１の操作で指示している領域が変化していることも、当然、第三者に気付かれにくい。
【０１１６】
このような本実施形態において、毎回異なる第１の操作と第２の操作の入力内容の組み合わせによりロックを解除していると、第１の操作に気付かない第三者は混乱し、ロック解除のための操作内容を把握できなくなる。
【０１１７】
以上説明した本実施形態によれば、ロック解除のための操作を行っているところを他人に見られたとしても、第１の操作及び第２の操作を含むロック解除のための操作内容は容易に認識されないようにすることができる。
【０１１８】
＜第６の実施形態＞
本実施形態は、第５の実施形態を基本とし、以下の点で構成が異なる。
【０１１９】
すなわち、第５の実施形態では、第１の操作における指示領域に応じた入力内容を第２の操作で受付けた場合、ロックが解除される。これに対し、本実施形態では、第１の操作として所定の領域を指示するオブジェクトの種類に応じた入力内容を第２の操作で受付けた場合、ロックが解除される。その他の構成は第５の実施形態と同様であるので、ここでの説明は省略する。
【０１２０】
本実施形態のロック部１２は、入力受付部１１が、第１のオブジェクトを用いて所定の領域の指示を維持する第１の操作による入力を受付けた場合、第２の操作により第１の情報が入力されるとロックを解除する。なお、ロック部１２は、入力受付部１１が第１のオブジェクトを用いて所定の領域の指示を維持する第１の操作による入力を受付けた場合に、第２の操作により第１の情報と異なる情報が入力されるとロックを解除しない。
【０１２１】
また、ロック部１２は、入力受付部１１が、第１のオブジェクトと異なる第２のオブジェクトを用いて所定の領域の指示を維持する第１の操作による入力を受付けた場合、第２の操作により第１の情報と異なる第２の情報が入力されるとロックを解除する。なお、ロック部１２は、入力受付部１１が第２のオブジェクトを用いて所定の領域の指示を維持する第１の操作による入力を受付けた場合に、第２の操作により第２の情報と異なる情報が入力されるとロックを解除しない。
【０１２２】
第１のオブジェクトを用いて指示する領域と、第２のオブジェクトを用いて指示する領域とは同じであってもよいし、異なっていてもよい。
【０１２３】
すなわち、本実施形態においても、ロックを解除するための第１の操作及び第２の操作の入力内容の組み合わせが複数存在する。ロック部１２は、第１の操作による入力内容（オブジェクトの種類を含む）及び第２の操作による入力内容の組み合わせを複数保持しておき、入力受付部１１がいずれかの組み合わせの入力を受付けると、ロックを解除する。
【０１２４】
例えば、入力受付部１１がタッチ領域に対するタッチ操作により第１の操作を受付ける場合、入力受付部１１は、さらに、所定の情報を取得し、当該情報に基づいていずれの指（親指、人差し指、中指、薬指、小指）によりタッチされたかを識別してもよい。そして、識別した指を示す情報をロック部１２に入力してもよい。
【０１２５】
入力受付部１１がタッチした指の種類を識別する手段は特段制限されず、従来のあらゆる技術を利用することができる。例えば、入力受付部１１は、タッチした指の指紋情報を取得し、予め記憶している操作者の指紋情報を利用してタッチした指の種類を特定してもよい。又は、タッチされた領域の形状、大きさ等を示す情報を利用し、予め記憶している各指のこれら（タッチ領域の形状、大きさ等）の特徴量を利用してタッチした指の種類を特定してもよい。
【０１２６】
その他、入力受付部１１が非接触操作による領域指示操作を受付ける場合も同様に、入力受付部１１は、所定の情報を取得し、当該情報に基づいていずれのオブジェクトにより指示されたかを識別してもよい。そして、識別したオブジェクトを示す情報をロック部１２に入力してもよい。
【０１２７】
当該例においても、入力受付部１１が指示されているオブジェクトの種類を識別する手段は特段制限されず、従来の技術を利用することができる。例えば、入力受付部１２は予め複数のオブジェクトの特徴量（形状、大きさ、色等）を保持しておき、当該特徴量と、第１の操作として所定の領域を指示しているオブジェクトから取得した特徴量とを利用して、当該オブジェクトの種類を特定してもよい。
【０１２８】
本実施形態によれば、第５の実施形態と同様の作用効果を実現することができる。
【０１２９】
以上説明した本実施形態によれば、ロック解除のための操作を行っているところを他人に見られたとしても、第１の操作及び第２の操作を含むロック解除のための操作内容は容易に認識されないようにすることができる。
【０１３０】
＜第７の実施形態＞
本実施形態は、第２の実施形態又は第２の実施形態を基本とした第３の実施形態を基本とし、第１の入力デバイス及び第２の入力デバイスの設置位置を限定した実施形態である。
【０１３１】
本実施形態の電子機器は筺体を有し、第１の入力デバイスは筺体の第１の面に設けられており、第２の入力デバイスは筺体の第２の面に設けられている。そして、第１の面と第２の面は表裏の関係にある。
【０１３２】
図１０に一例を示す。図１０（Ａ）は、電子機器１０の第１の面の平面図であり、図１０（Ｂ）は、電子機器１０の第２の面の平面図である。第１の面と第２の面は表裏の関係にある。電子機器１０は、片手で保持可能な携帯端末である。
【０１３３】
第１の面には、タッチパネルディスプレイ１１Ａ（第２の入力デバイス）が設けられており、第２の面には、タッチされているか否かを識別するタッチセンサ１１Ｃ（第１の入力デバイス）が設けられている。
【０１３４】
ロック部１２は、入力受付部１１がタッチセンサ１１Ｃ（第１の入力デバイス）をタッチし続ける第１の操作による入力を受付けている状態で、第２の操作として、タッチパネルディスプレイ１１Ａ（第２の入力デバイス）を介した所定の操作による入力を受付けると、ロックを解除する。
【０１３５】
例えば、操作者は、片手（左手又は右手）で電子機器１０を保持しながら、電子機器１０を保持している手の指により、タッチセンサ１１Ｃ（第１の入力デバイス）をタッチし続ける第１の操作を行うことができる。そして、当該第１の操作を維持しながら、所定のオブジェクト（例：他方の手の指）で、タッチパネルディスプレイ１１Ａ（第２の入力デバイス）を介した所定の入力操作（第２の操作）を行うことができる。
【０１３６】
図１０（Ｂ）に示すような位置にタッチセンサ１１Ｃ（第１の入力デバイス）がある場合、例えば、操作者は、左手で電子機器１０を保持しながら、左手の人差し指でタッチセンサ１１Ｃ（第１の入力デバイス）をタッチし続ける第１の操作を行うことができる。
【０１３７】
当該例では、第２及び第３の実施形態で説明した作用効果が実現されている。さらに、電子機器１０を保持している手により第１の操作を行うことができるので、より、第１の操作ＯＰIの存在を第三者に気付かれにくくすることができる。
【０１３８】
なお、当該例における第１の入力デバイスを、タッチセンサ１１Ｃに代えて、ボタン等のその他のデバイスとすることができる。第１の入力デバイスがボタンである場合、第１の操作は、例えば、ボタンを押下し続ける操作となる。
【０１３９】
図１１に他の一例を示す。図１１（Ａ）は、電子機器１０の第１の面の平面図であり、図１１（Ｂ）は、電子機器１０の第２の面の平面図である。第１の面と第２の面は表裏の関係にある。電子機器１０は、片手で保持可能な携帯端末である。
【０１４０】
第１の面には、タッチパネルディスプレイ１１Ａ（第２の入力デバイス）が設けられており、第２の面にも、タッチパネルディスプレイ１１Ａ´（第２の入力デバイス）が設けられている。
【０１４１】
ロック部１２は、入力受付部１１がタッチパネルディスプレイ１１Ａ´（第１の入力デバイス）を介した第１の操作による入力と、タッチパネルディスプレイ１１Ａ（第２の入力デバイス）を介した第２の操作による入力とを並行して受付けると、ロックを解除する。
【０１４２】
当該例の場合、第３乃至第６の実施形態を採用することができる。すなわち、第１の操作及び第２の操作の組み合わせは、これらの実施形態で説明したものとすることができる。なお、第３乃至第６の実施形態では１つのタッチパネルディスプレイに対して第１の操作及び第２の操作を行うが、本実施形態の場合、２つのタッチパネルディスプレイ各々に、第１の操作及び第２の操作のいずれかを行う点で相違することとなる。また、ロック部１２の構成は、第３乃至第６の実施形態で説明したものとすることができる。例えば、ロックを解除するための第１の操作及び第２の操作の入力内容の組み合わせが複数存在してもよい。
【０１４３】
当該例では、第２及び第３の実施形態で説明した作用効果が実現されている。また、第３乃至第６の実施形態で説明した第１の操作及び第２の操作の組み合わせや、ロック部１２の構成を採用することで、これらの実施形態で説明した作用効果を実現することもできる。
【０１４４】
なお、図３を用いて説明した片手で保持しながらその手でタッチ操作を安定して行うには大きい電子機器１０において、当該実施形態を適用することもできる。
【０１４５】
以上説明した本実施形態によれば、ロック解除のための操作を行っているところを他人に見られたとしても、第１の操作及び第２の操作を含むロック解除のための操作内容は容易に認識されないようにすることができる。
【０１４６】
＜＜付記＞＞
上記説明によれば、以下の発明の説明がなされている。
＜発明１＞
所定のオブジェクトを用いて所定の領域を指示する操作により入力を受付ける入力受付手段と、
所定の機能にロックをかけるとともに、前記入力受付手段が第１の前記操作による入力と、第２の前記操作による入力とを並行して受付けると、前記ロックを解除するロック手段と、
を有する電子機器。
＜発明２＞
同時に視認できない位置に設けられた第１の入力デバイス及び第２の入力デバイスを介して入力を受付ける入力受付手段と、
所定の機能にロックをかけるとともに、前記入力受付手段が前記第１の入力デバイスを介した第１の操作による入力と、前記第２の入力デバイスを介した第２の操作による入力とを並行して受付けると、前記ロックを解除するロック手段と、
を有する電子機器。
＜発明３＞
発明１に記載の電子機器において、
前記第１の操作で指示すべき前記所定の領域とその他の領域との境界は視認可能になっていない電子機器。
＜発明４＞
発明１又は３に記載の電子機器において、
前記第１の操作は、前記所定の領域を指示した後、指示位置を動かさずに維持する操作であり、
前記第２の操作は、前記第１の操作において前記指示位置が維持されている状態で行われる所定の前記操作である電子機器。
＜発明５＞
発明４に記載の電子機器において、
前記ロック手段は、
前記入力受付手段が、第１の前記所定の領域の指示を維持する前記第１の操作による入力を受付けた場合、前記第２の操作により第１の情報が入力されると前記ロックを解除し、
前記入力受付手段が、前記第１の所定の領域と異なる第２の前記所定の領域の指示を維持する前記第１の操作による入力を受付けた場合、前記第２の操作により前記第１の情報と異なる第２の情報が入力されると前記ロックを解除する電子機器。
＜発明６＞
発明４に記載の電子機器において、
前記ロック手段は、
前記入力受付手段が、第１の前記オブジェクトを用いて前記所定の領域の指示を維持する前記第１の操作による入力を受付けた場合、前記第２の操作により第１の情報が入力されると前記ロックを解除し、
前記入力受付手段が、前記第１のオブジェクトと異なる第２の前記オブジェクトを用いて前記所定の領域の指示を維持する前記第１の操作による入力を受付けた場合、前記第２の操作により前記第１の情報と異なる第２の情報が入力されると前記ロックを解除する電子機器。
＜発明７＞
発明１、３乃至６のいずれかに記載の電子機器において、
前記操作は、タッチ領域内の所定の領域にタッチして行われる操作である電子機器。
＜発明８＞
発明２に記載の電子機器において、
筺体を有し、
前記第１の入力デバイスは前記筺体の第１の面に設けられており、前記第２の入力デバイスは前記筺体の第２の面に設けられており、前記第１の面と前記第２の面は表裏の関係にある電子機器。
＜発明９＞
発明１から８のいずれかに記載の電子機器において、
前記第１の操作は静的な操作であり、前記第２の操作は動的な操作である電子機器。
＜発明１０＞
発明１から９のいずれかに記載の電子機器において、
前記ロック手段は、前記第１の操作による入力と、前記第２の操作による入力とを時系列的に並行して受付けると、前記ロックを解除する電子機器。
＜発明１１＞
コンピュータを、
所定のオブジェクトを用いて所定の領域を指示する操作により入力を受付ける入力受付手段、
所定の機能にロックをかけるとともに、前記入力受付手段が第１の前記操作による入力と、第２の前記操作による入力とを並行して受付けると、前記ロックを解除するロック手段、
として機能させるためのプログラム。
＜発明１１−２＞
コンピュータを、
同時に視認できない位置に設けられた第１の入力デバイス及び第２の入力デバイスを介して入力を受付ける入力受付手段、
所定の機能にロックをかけるとともに、前記入力受付手段が前記第１の入力デバイスを介した第１の操作による入力と、前記第２の入力デバイスを介した第２の操作による入力とを並行して受付けると、前記ロックを解除するロック手段、
として機能させるためのプログラム。
＜発明１１−３＞
発明１０に記載のプログラムにおいて、
前記第１の操作で指示すべき前記所定の領域とその他の領域との境界は視認可能になっていないプログラム。
＜発明１１−４＞
発明１１又は１１−３に記載のプログラムにおいて、
前記第１の操作は、前記所定の領域を指示した後、指示位置を動かさずに維持する操作であり、
前記第２の操作は、前記第１の操作において前記指示位置が維持されている状態で行われる所定の前記操作であるプログラム。
＜発明１１−５＞
発明１１−４に記載のプログラムにおいて、
前記ロック手段に、
前記入力受付手段が、第１の前記所定の領域の指示を維持する前記第１の操作による入力を受付けた場合、前記第２の操作により第１の情報が入力されると前記ロックを解除させ、
前記入力受付手段が、前記第１の所定の領域と異なる第２の前記所定の領域の指示を維持する前記第１の操作による入力を受付けた場合、前記第２の操作により前記第１の情報と異なる第２の情報が入力されると前記ロックを解除させるプログラム。
＜発明１１−６＞
発明１１−４に記載のプログラムにおいて、
前記ロック手段に、
前記入力受付手段が、第１の前記オブジェクトを用いて前記所定の領域の指示を維持する前記第１の操作による入力を受付けた場合、前記第２の操作により第１の情報が入力されると前記ロックを解除させ、
前記入力受付手段が、前記第１のオブジェクトと異なる第２の前記オブジェクトを用いて前記所定の領域の指示を維持する前記第１の操作による入力を受付けた場合、前記第２の操作により前記第１の情報と異なる第２の情報が入力されると前記ロックを解除させるプログラム。
＜発明１１−７＞
発明１１、１１−３乃至１１−６のいずれかに記載のプログラムにおいて、
前記操作は、タッチ領域内の所定の領域にタッチして行われる操作であるプログラム。
＜発明１１−８＞
発明１１−２に記載のプログラムにおいて、
前記第１の入力デバイスは筺体の第１の面に設けられており、前記第２の入力デバイスは前記筺体の第２の面に設けられており、前記第１の面と前記第２の面は表裏の関係にあるプログラム。
＜発明１１−９＞
発明１１から１１−８のいずれかに記載のプログラムにおいて、
前記第１の操作は静的な操作であり、前記第２の操作は動的な操作であるプログラム。
＜発明１１−１０＞
発明１１から１１−９のいずれかに記載のプログラムにおいて、
前記ロック手段に、前記第１の操作による入力と、前記第２の操作による入力とを時系列的に並行して受付けると、前記ロックを解除させるプログラム。
＜発明１２＞
コンピュータが、
所定のオブジェクトを用いて所定の領域を指示する操作により入力を受付ける入力受付ステップと、
所定の機能にロックをかけるとともに、前記入力受付ステップで第１の前記操作による入力と、第２の前記操作による入力とを並行して受付けると、前記ロックを解除するロック解除ステップと、
を実行するロック解除方法。
＜発明１２−２＞
コンピュータが、
同時に視認できない位置に設けられた第１の入力デバイス及び第２の入力デバイスを介して入力を受付ける入力受付ステップと、
所定の機能にロックをかけるとともに、前記入力受付ステップで前記第１の入力デバイスを介した第１の操作による入力と、前記第２の入力デバイスを介した第２の操作による入力とを並行して受付けると、前記ロックを解除するロック解除ステップと、
を実行するロック解除方法。
＜発明１２−３＞
発明１２に記載のロック解除方法において、
前記第１の操作で指示すべき前記所定の領域とその他の領域との境界は視認可能になっていないロック解除方法。
＜発明１２−４＞
発明１２又は１２−３に記載のロック解除方法において、
前記第１の操作は、前記所定の領域を指示した後、指示位置を動かさずに維持する操作であり、
前記第２の操作は、前記第１の操作において前記指示位置が維持されている状態で行われる所定の前記操作であるロック解除方法。
＜発明１２−５＞
発明１２−４に記載のロック解除方法において、
前記ロック解除ステップでは、
前記入力受付ステップで、第１の前記所定の領域の指示を維持する前記第１の操作による入力を受付けた場合、前記第２の操作により第１の情報が入力されると前記ロックを解除し、
前記入力受付ステップで、前記第１の所定の領域と異なる第２の前記所定の領域の指示を維持する前記第１の操作による入力を受付けた場合、前記第２の操作により前記第１の情報と異なる第２の情報が入力されると前記ロックを解除するロック解除方法。
＜発明１２−６＞
発明１２−４に記載のロック解除方法において、
前記ロック解除ステップでは、
前記入力受付ステップで、第１の前記オブジェクトを用いて前記所定の領域の指示を維持する前記第１の操作による入力を受付けた場合、前記第２の操作により第１の情報が入力されると前記ロックを解除し、
前記入力受付ステップで、前記第１のオブジェクトと異なる第２の前記オブジェクトを用いて前記所定の領域の指示を維持する前記第１の操作による入力を受付けた場合、前記第２の操作により前記第１の情報と異なる第２の情報が入力されると前記ロックを解除するロック解除方法。
＜発明１２−７＞
発明１２、１２−３乃至１２−６のいずれかに記載のロック解除方法において、
前記操作は、タッチ領域内の所定の領域にタッチして行われる操作であるロック解除方法。
＜発明１２−８＞
発明１２−２に記載のロック解除方法において、
前記第１の入力デバイスは筺体の第１の面に設けられており、前記第２の入力デバイスは前記筺体の第２の面に設けられており、前記第１の面と前記第２の面は表裏の関係にあるロック解除方法。
＜発明１２−９＞
発明１２から１２−８のいずれかに記載のロック解除方法において、
前記第１の操作は静的な操作であり、前記第２の操作は動的な操作であるロック解除方法。
＜発明１２−１０＞
発明１２から１２−９のいずれかに記載のロック解除方法において、
前記ロックステップでは、前記第１の操作による入力と、前記第２の操作による入力とを時系列的に並行して受付けると、前記ロックを解除するロック解除方法。
【０１４７】
この出願は、２０１２年１１月２２日に出願された日本特許出願特願２０１２−２５６７６６号を基礎とする優先権を主張し、その開示の全てをここに取り込む。
【図１】
2014080659.tif 000003
【図２】
2014080659.tif 000004
【図３】
2014080659.tif 000005
【図４】
2014080659.tif 000006
【図５】
2014080659.tif 000007
【図６】
2014080659.tif 000008
【図７】
2014080659.tif 000009
【図８】
2014080659.tif 000010
【図９】
2014080659.tif 000011
【図１０】
2014080659.tif 000012
【図１１】
2014080659.tif 000013
【図１２】
2014080659.tif 000014
【国際調査報告】
2014080659.tif 000015
2014080659.tif 000016